(57)【要約】【課題】  従来の引戸用の引き手の優れた点をそのままに、更に、複雑な構成でなく、使い勝手のよい施錠装置を付加する。【解決手段】  外枠１５よりも幅狭の指掛け分４が架設されている引戸用引き手１において、前記外枠１５と指掛け部４とに囲まれて形成される空所６に側板の一対が所定の間隔を有して配置されており、前記一対の側板７１，７２により形成される中空部７に前記少なくとも一方の側板の表面に配置された操作部材８５により駆動して前記指掛け部４の正面から裏面に貫通して形成される溝条４１から前記引戸の戸枠１０に配置した受け具１０１に係脱する係止部８２を出没させる錠部材８が収装されている。【選択図】図１
2016196739.tif 000002
【特許請求の範囲】
【請求項１】
引戸における戸先側の端部に形成した木口面から表面に渡って形成される切欠凹部の上面に接合する上部枠と、前記切欠凹部の下面に接合する下部枠と、前記上部枠と下部枠とを連結して前記切欠凹部の内側面に接合する側部枠とからなる前記切欠凹部と同幅の外枠における前面の開口端に前記引戸の木口面に沿って前記外枠よりも幅狭の指掛け部が架設されている引戸用引き手において、
前記外枠と指掛け部とに囲まれて形成される空所に側板の一対が所定の間隔を有して配置されており、前記一対の側板により形成される中空部に前記少なくとも一方の側板の表面に配置された操作部材により駆動して前記指掛け部の正面から裏面に貫通して形成される溝条から前記引戸の戸枠に配置した受け具に係脱する係止部を出没させる錠部材が収装されていることを特徴とする引戸用引き手。
【請求項２】
前記係止部材が鎌形であることを特徴とする請求項１記載の引戸用引き手。
【請求項３】
前記操作部がスライド式、回転式またはシーソー式であることを特徴とする請求項１または２記載の引戸用引き手。
【発明の詳細な説明】
【技術分野】
【０００１】
本発明は、指を掛けて引戸を開閉操作するために引戸の木口端に沿って取り付けられる引戸用の引き手に関する。
【背景技術】
【０００２】
従来から、引き込み戸のように閉成時に戸袋に収容される形式の引戸や複数枚の引戸が互いに重なる場合などにおいては、引き手部分が戸袋や他の引戸に遮られることになり指が掛けられないという問題があり、また、開閉操作をしたときに引き手に掛けた指を引戸と戸袋との間に挟んでしまうという問題もある。
【０００３】
そこで、簡単な構成で、戸袋や他の引戸に遮られても使用が可能で、指を挟む心配がない引き手が、例えば特開平１１−６２３３２号公報、特開２００８−２５５６９０号公報等に提示されている。
【０００４】
前記公報に提示されている引き手は、例えば図６（ａ）に示したように、引戸２における戸先側の端部に形成した木口面２１から表面２２および裏面２３に渡って形成される切欠凹部３の上面３１に接合する上部枠１１と、切欠凹部３の下面３２に接合する下部枠１２と、前記切欠凹部３の内側面３３に接合する前記上部枠１１と下部枠１２の基端を連結する側部枠１３とからなる前記切欠凹部３と同幅の外枠１５における前面の開口端に前記引戸２の木口面２１に沿って前記外枠１５よりも幅狭の指掛け部４が架設されている構成であり、例えば図６（ｂ）に示すように、戸袋５等に引き込まれても戸袋５との間に形成された隙間５１を通して指を差し込むことにより（図示せず）引き手の指掛け部４を引いて引戸２を移動させることができるものであり、簡単な構成で使い勝手に優れている。
【先行技術文献】
【特許文献】
【０００５】
【特許文献１】特開平１１−６２３３２号公報
【特許文献２】特開２００８−２５５６９０号公報
【発明の概要】
【発明が解決しようとする課題】
【０００６】
ところで、前記従来の引き込み戸などにおいても施錠が必要な場合があるが、これらの引戸は、戸袋に引き込まれたり、他の隣接する引戸に近接して配置されることから表面や裏面に突出物を設けることができない。そのため、引戸の表面や裏面に施解錠の操作部を突出配置する従来周知の施錠装置を設置することがきわめて困難であった。そのため、例えば操作部を使用しないときには引戸内に収容するような複雑な構成が必要であり、施解錠の操作も煩雑になってしまうという問題がある。
【０００７】
本発明は、前記課題を解決するためになされたものであり、前記従来の引戸用の引き手の優れた点をそのままに、更に、複雑な構成でなく、使い勝手のよい施錠装置を付加することを課題としたものである。
【課題を解決するための手段】
【０００８】
前記課題を解決するためになされた本発明は、引戸における戸先側の端部に形成した木口面から表面に渡って形成される切欠凹部の上面に接合する上部枠と、前記切欠凹部の下面に接合する下部枠と、前記上部枠と下部枠とを連結して前記切欠凹部の内側面に接合する側部枠とからなる前記切欠凹部と同幅の外枠における前面の開口端に前記引戸の木口面に沿って前記外枠よりも幅狭の指掛け部が架設されている引戸用引き手において、前記外枠と指掛け部とに囲まれて形成される空所に側板の一対が所定の間隔を有して配置されており、前記一対の側板により形成される中空部に前記少なくとも一方の側板の表面に配置された操作部材により駆動して前記指掛け部の正面から裏面に貫通して形成される溝条から前記引戸の戸枠に配置した受け具に係脱する係止部を出没させる錠部材が収装されていることを特徴とする。
【０００９】
また、本発明において、前記係止部材が鎌形である場合には設置し易く、前記操作部がスライド式、回転式またはシーソー式を採用することができる。
【発明の効果】
【００１０】
本発明によれば、引き込み方式や多数枚の引戸が重なる場合などのように引き手が遮られた状態でも指を掛けられるとともに指の挟み込みを防止するなど従来のこの種の引き手が有する作用・効果はそのままで、更に、複雑な構造を用いないで使い勝手の良い施錠効果を付与することができる。
【図面の簡単な説明】
【００１１】
【図１】本発明の好ましい実施の形態を示すものであり、（ａ）は引戸に取り付ける前の状態を示す斜視図、（ｂ）は取り付けた状態を示す斜視図、（ｃ）は横断面図である。
【図２】図１に示した実施の形態における施錠装置の機構を示す説明図であり、（ａ）は解錠状態を、（ｂ）は施錠状態を示す。
【図３】本発明の引き手が異なる実施の形態を示す説明図である。
【図４】本発明の操作部が異なる実施の形態を示すものであり、（ａ）は引戸に取り付けた状態を示す斜視図、（ｂ）は解錠状態における施錠装置の機構を示す説明図、（ｃ）は施錠状態における施錠装置の機構を示す説明図である。
【図５】本発明の操作部が更に異なる実施の形態を示すものであり、（ａ）は引戸に取り付けた状態を示す斜視図、（ｂ）は施錠装置の要部縦断面図、（ｃ）は解錠状態における施錠装置の機構を示す説明図、（ｄ）は施錠状態における施錠装置の機構を示す説明図である。
【図６】従来の引き手を示すものであり、（ａ）は引戸に取り付ける前の状態を示す斜視図、（ｂ）は引戸に取り付けた状態を示す斜視図。
【発明を実施するための形態】
【００１２】
次に、本発明を図面に示す好ましい実施の形態に基づいて詳細に説明する。
【００１３】
図１および図２は本発明の好ましい実施の形態を示すものであり、引き手１の基本的構成は前記図４に示した従来例とほぼ同様であり、引戸２における戸先側の端部に形成した木口面２１から表面２２および裏面２３に渡って形成される切欠凹部３の上面３１に接合する上部枠１１と、切欠凹部３の下面３２に接合する下部枠１２と、前記上部枠１１と下部枠１２とを連結して前記切欠凹部３の内側面３３に接合する側部枠１３とからなる前記切欠凹部３と同幅の外枠１５における前面の開口端に前記引戸２の木口面２１に沿って外枠１５よりも幅狭の指掛け部４が架設されている構成であり、前記図４（ｂ）に示す従来例と同様に、例えば戸袋５等に引き込まれても戸袋５との間に形成された隙間５１を通して指を差し込むことにより（図示せず）引き手の指掛け部４に指を掛けて引戸２を移動させることができるものである。
【００１４】
そして、本実施の形態では引き手に施錠装置が付設されている。
【００１５】
更に、詳細に説明すると、前記上部枠１１と、下部枠１２と、前記上部枠１１と下部枠１２とを連結する側部枠１３とからなる外枠１５と指掛け部４とに囲まれて形成される空所６に側板７１，７２の一対が所定の間隔を有して配置されており、前記一対の側板７１，７２により形成される中空部７に錠部材８が配置されている。
【００１６】
一端に例えば図２（ｂ）に示すように戸枠１０に形成された受け具１０１に掛止される鎌形の係止部８２を有するとともに他端に二股状の作用部８３が形成された錠部材８が前記側板７１，７２間に架設された軸部材８１に回動可能に軸着されており、前記作用部８３には前記側板７１の表面に形成された上下方向に延びる溝孔７３に沿って上下方向に移動する横長矩形体である操作部８５を有する軸体８４が付設されている。
【００１７】
従って、前記操作部８５を溝孔７３に沿って上下方向に移動させると、前記操作部８５に係合している軸体８４が上下方向に移動して係合している作用部８３により錠部材８が軸部材８１を中心として回動するので先端に形成した鎌形の係止部８２が前記指掛け部４に形成した溝条４１から出没して施解錠が行われるものである。
【００１８】
尚、本実施の形態では前記操作部材８５は少なくとも前記外枠１５から突出することがなく、即ち、前記外枠１５および指掛け部４と側板７１の表面とに囲まれた空間から突出することのない厚さに形成されており引戸２の開閉について支障がない。
【００１９】
以上の構成を有する本実施の形態は、通常は図２（ａ）に示した状態、即ち、操作部材８５が溝孔７３の上方に位置して錠部材８の係止部８２が前記中空部７内に配置されており、図６に示したような従来のこの種の引き手と同様に例えば指掛け部４または外枠１５の側部枠１３の内面に指を掛けて引戸２を開閉することができるものである。
【００２０】
このとき、本実施の形態では操作部材８５が上部枠１１の近傍である上方位置に位置するので前記引き手の指掛け部４または外枠の側部枠１３の内面に指を掛けて引戸２を開閉する際に邪魔になることがない。
【００２１】
そして、図２（ｂ）に示すように引戸２を全閉して戸枠１０に接合させて施錠をする場合には、前記操作部材８５を下方位置に押し下げて前記錠部材８を回動させて係止部８２を指掛け部４に形成した溝条４１から繰り出して前記戸枠１０の所定位置に配置した受け具１０１に係止させ施錠することができる。
【００２２】
また、前記施錠状態を解除するときには前記操作部材８５を上方に向けてスライドさせて錠部材８を施錠時とは逆方向に回動させて係止部８２の受け具１０１との係合を解除して錠部材８を元のように引き手１内に収容し指掛け部４または外枠１５の側部枠１３の内面に指を掛けて引戸２を開放する。
【００２３】
尚、本実施の形態では施錠時には操作部材８５が側板７１の中央付近に位置しているが、指を掛ける際には前記操作部材８５を上方へスライドさせて図２（ａ）に示したように操作部材８５を指掛けの邪魔にならない位置に移動させてから指を掛けるので何ら支障ない。
【００２４】
また、必要であれば例えば図示したように側板７１に形成した溝孔７３の上下端に前記軸体８４が強制挿入される係止部分８６を形成するなど操作部材８５を所定の開閉位置で保持させる機構を設けることもできる。
【００２５】
本実施の形態に示した錠部材８は鎌形の係止部８２を有するので受け具１０１も簡単な構成で済み、操作部材８５もスライド式で且つ指掛けの際に支障にならないので使い勝手も良い。
【００２６】
また、本実施の形態では、引戸２における戸先側の端部に形成した木口面２１から表面２２および裏面２３に渡って形成される切欠凹部３に装着可能な外枠１５を装着する構成であり、操作部材８５を配置した側板７１側だけでなく軸体８４を対向する側板７２側に突出させてもう一つの操作部材（図示せず）を備えることにより引戸２の表面２２側だけでなく裏面２３の両側から施解錠可能とすることも可能である。
【００２７】
更に、本実施の形態では引戸２における戸先側の端部に形成した木口面２１から表面２２および裏面２３に渡って形成される切欠凹部３に装着可能な指掛け部４が引戸２の表面２２および裏面２３の両側から使用可能なものであるとともに錠部材８を前記一対の側板７１，７２により形成される中空部７に配置する構成としたが、図３に示したように切欠凹部３を表面２２側だけに形成した引戸２にあっても同様に実施できるものであり、この場合には図１および図２に示した側板７２の代わりに引戸２に形成した切欠凹部３の内側壁３４を図１及び図２に示した一対の側板７２として中空部７を形成することになる。
【００２８】
図４は、前記一対の側板７１，７２により形成される中空部７に配置される錠部材８Ａが異なる実施の形態を示すものであり、本実施の形態では、操作部８６が従来のラッチ錠のように回転式である点が異なる。
【００２９】
本実施の形態では、前記側板７１の表面に配置した回転式の操作部８６は、前記側板７１，７２間に架設された軸部材８７に軸着されているとともに、中空部７（図２参照）において前記軸部材８７にクランク部材８８が軸着されており、前記クランク部材８８が先端に前記指掛け部４に形成した溝条４１から繰り出し可能な係止部８２を有する錠部材８Ａに連結されており、前記操作部８６を往復回転させることにより前記クランク部材８８を介して錠部材８Ａが軸８１を中心として往復回動して図４（ｂ）に示した解錠状態から図４（ｃ）に示した施錠状態へ、或いは図４（ｃ）に示した施錠状態から図４（ｂ）に示した解錠状態へ反転する。
【００３０】
本実施の形態ではラッチ錠の感覚で施解錠を行うことができるので使用者にとって違和感が無く容易に使用が可能であって、操作部８６を上方位置に配置したので指掛けの支障にならない。また、クランク部材８８または錠部材８Ａにバネ部材を付設することにより（図示せず）、従来周知のラッチ錠のように解錠状態或いは施錠状態で保持させることも可能である。
【００３１】
図５は、前記一対の側板７１，７２により形成される中空部７に配置される錠部材８Ｂが更に異なる実施の形態を示すものであり、本実施の形態では、操作部９がシーソー式である点が特徴である。
【００３２】
本実施の形態では、前記側板７１の表面に配置され、所定の角度で一端を連結した形状の上板９１および下板９２と、その連結した形状の部分の両端に近接して前記側板７１の表面に配置される前記側板７１と前記上板９１および下板９２を軸回転可能に固定するための連結部９３，９３からなるシーソー式の操作部９と、前記操作部９に一端が接続され、もう一端を側板７１，７２間に形成される中空部７（図２参照）に配置したラック状の移動部材９４に接続するための接続部材９５と、前記接続部材９５が挿通される溝孔９６とを有し、前記中空部７において戸枠１０に形成された受け具１０１に掛止される鎌形の係止部８２を有するとともに歯車状の嵌合部９７を有する錠部材８Ｂが前記側板７１，７２間に架設された軸部材８１に回動可能に軸着されており、更に前記側板７１，７２間に架設された前記移動部材９４と前記嵌合部９７とを連結して動力を伝達するための伝達部材９８を有していることから、前記操作部材９を操作することによって前記中空部７内で前記移動部材９４が上下に移動して、その動作が前記伝達部材９８を介して前記嵌合部９７に伝達されることで、前記錠部材８Ｂが軸部材８１を中心として往復回動して図５（ｃ）に示した解錠状態から図５（ｄ）に示した施錠状態へ、或いは図５（ｄ）に示した施錠状態から図５（ｃ）に示した解錠状態へと反転する。
【００３３】
つまり、前記下板９２を前記側板７１方向へ押下したときは前記移動部材９４が上方に移動し、その動力が前記伝達部材９８を介して前記嵌合部９７に伝わり、前記錠部材８Ｂを引き手１内部に収納した図５（ｃ）に示す解錠状態となる。反対に、前記上板９１を前記側板７１方向へ押下したときは前記移動部材９４が下方に移動し、その動力が前記伝達部材９８を介して前記嵌合部９７に伝わり、前記錠部材８Ｂを引き手１の前記指掛け部４に形成した溝条４１から突出した図５（ｄ）に示す施錠状態となるものである。
【００３４】
また、前記上板９１および下板９２のそれぞれの表面に、使用者が判りやすい様に例えば開放・閉鎖等の表示がされている場合、一目で容易に操作方法が把握できるため望ましい。
【００３５】
本実施の形態ではシーソー式のスイッチを用いるため直感的に施解錠を行うことができるので容易に使用が可能であって、操作部９を上方位置に配置したので指掛けの支障にならない。また移動部材９４または錠部材８Ｂにバネ部材を付設することにより（図示せず）、従来周知のラッチ錠のように解錠状態或いは施錠状態で保持させることも可能である。
【符号の説明】
【００３６】
１  引き手、２  引戸、３  切欠凹部、４  指掛け部、６  空所、７  中空部、８  錠部材、１０  戸枠、１１  上部枠、１２  下部枠、１３  側部枠、１５  外枠、２１  木口面、２２  表面、２３  裏面、３１  上面、３２  下面、４１  溝条、７１，７２  側板、７３  溝孔、８１  軸部材、８２  係止部、８３  作用部、８４  軸体、８５  操作部材、８６  操作部材、８７  軸部材、８８  クランク部材、９１  上板、９２  下板、９３  連結部、９４  移動部材、９５  接続部材、９６  溝孔、９７  嵌合部、９８  伝達部材、１０１  受け具
【図１】
2016196739.tif 000003
【図２】
2016196739.tif 000004
【図３】
2016196739.tif 000005
【図４】
2016196739.tif 000006
【図５】
2016196739.tif 000007
【図６】
2016196739.tif 000008